(57)【要約】【課題】セキュリティを向上させる。【解決手段】電子機器１０において、プロセッサ１３は、パスワードに含まれる複数の要素文字と前記パスワードに含まれない複数の非要素文字とを不規則な順番で含む、文字群を、タッチパネル１１に表示させる。また、プロセッサ１３は、複数の要素文字のそれぞれのドラッグ入力が期待される複数の真領域と文字群のいずれかの文字の入力が期待される複数の偽領域とを不規則な順番で含む、領域列を、タッチパネル１１に表示させる。また、プロセッサ１３は、領域列において各真領域の位置と所定ルールの関係にある所定位置の入力領域がタッチされたことを検知した場合、報知処理を実行し、複数の真領域にドラッグ入力された複数の文字がパスワードと一致するか否か判定する。【選択図】図１
2016181035.tif 000002
【特許請求の範囲】
【請求項１】
タッチパネルと、
メモリと、
前記タッチパネル及び前記メモリと接続されたプロセッサと、
を具備し、
前記プロセッサは、
パスワードに含まれる複数の要素文字と前記パスワードに含まれない複数の非要素文字とを不規則な順番で含む、文字群を、前記タッチパネルに表示させ、
前記複数の要素文字のそれぞれのドラッグ入力が期待される複数の真領域と前記文字群のいずれかの文字の入力が期待される複数の偽領域とを不規則な順番で含む、領域列を、前記タッチパネルに表示させ、
前記領域列において各真領域の位置と所定関係にある所定位置の入力領域がタッチされたことを検知した場合、報知処理を実行し、
前記複数の真領域にドラッグ入力された複数の文字が前記パスワードと一致するか否か判定する、
ことを特徴とする電子機器。
【請求項２】
前記プロセッサは、前記報知処理において前記所定位置の入力領域を振動させる、
ことを特徴とする請求項１に記載の電子機器。
【請求項３】
前記プロセッサは、前記報知処理において発音部に発音させる、
ことを特徴とする請求項１に記載の電子機器。
【請求項４】
前記所定位置の入力領域は、前記領域列の基準方向において真領域の１つ前に存在する前領域である、
ことを特徴とする請求項１から３のいずれか一項に記載の電子機器。
【請求項５】
前記プロセッサは、前記領域列の基準方向において真領域の１つ前に存在する前領域がタッチされたことを検知した場合、前記前領域を振動させない一方、前記前領域以外の入力領域がタッチされたことを検知した場合、前記前領域以外の入力領域を振動させる、
ことを特徴とする請求項１に記載の電子機器。
【請求項６】
前記プロセッサは、前記領域列の基準方向において真領域の１つ前に存在する前領域がタッチされたことを検知した場合、発音部に発音させない一方、前記前領域以外の入力領域がタッチされたことを検知した場合、前記発音部に発音させる、
ことを特徴とする請求項１に記載の電子機器。
【請求項７】
パスワードに含まれる複数の要素文字と前記パスワードに含まれない複数の非要素文字とを不規則な順番で含む、文字群を、タッチパネルに表示させ、
前記複数の要素文字のそれぞれのドラッグ入力が期待される複数の真領域と前記文字群のいずれかの文字の入力が期待される複数の偽領域とを不規則な順番で含む、領域列を、前記タッチパネルに表示させ、
前記領域列において各真領域の位置と所定関係にある所定位置の入力領域がタッチされたことを検知した場合、報知処理を実行し、
前記複数の真領域にドラッグ入力された複数の文字が前記パスワードと一致するか否か判定する、
処理を、電子機器に実行させる、
ことを特徴とする認証プログラム。
【請求項８】
パスワードに含まれる複数の要素文字と前記パスワードに含まれない複数の非要素文字とを不規則な順番で含む、文字群を、タッチパネルに表示させ、
前記複数の要素文字のそれぞれのドラッグ入力が期待される複数の真領域と前記文字群のいずれかの文字の入力が期待される複数の偽領域とを不規則な順番で含む、領域列を、前記タッチパネルに表示させ、
前記領域列において各真領域の位置と所定関係にある所定位置の入力領域がタッチされたことが検知された場合、報知処理を実行し、
前記複数の真領域にドラッグ入力された複数の文字が前記パスワードと一致するか否か判定する、
ことを特徴とする認証方法。
【発明の詳細な説明】
【技術分野】
【０００１】
本発明は、電子機器、認証プログラム、及び認証方法に関する。
【背景技術】
【０００２】
従来より、個人情報の漏洩防止等を目的として、多くの電子機器に個人認証機能が搭載されている。個人認証方法の一例として、パスワードを入力する方法がある。すなわち、パスワードによる個人認証方法では、例えば、電子機器が備えるタッチパネル上に、例えば、４つの「入力領域」と、パスワードに含まれる複数の「要素文字」及びパスワードに含まれない複数の「非要素文字」とを含む「文字列」が表示される。当該文字列に含まれる文字は、特に限定されず、英数字、ひらがな、記号等が含まれる。そして、ユーザは、タッチパネル上に表示された「文字列」のいずれかの文字にタッチすることにより、そのタッチされた文字を「入力領域」に入力することができる。そして、電子機器は、４つの「入力領域」に入力された文字列と、予めユーザと対応付けて記憶しておいたパスワードとが一致するか否かを判定する。そして、一致する場合、電子機器は、認証成功と判定し、「処理制限」を解除する。「処理制限」は、例えば、電子機器が銀行ＡＴＭであれば、出金額入力画面へ画面移行させる制限などである。また、「処理制限」は、例えば、電子機器がスマートフォン等の携帯端末であれば、携帯端末の表示状態を、待ち受け画面状態から次の画面状態へ移行させる制限である。
【先行技術文献】
【特許文献】
【０００３】
【特許文献１】特開２０１１−４８６８９号公報
【発明の概要】
【発明が解決しようとする課題】
【０００４】
しかしながら、上記の従来の個人認証方法では、十分にセキュリティが確保されていない可能性がある。
【０００５】
すなわち、タッチパネルには指紋の跡が残るので、指紋の跡が残った場所に基づいてパスワードが第三者に推測されてしまう可能性がある。
【０００６】
これを防止するために、ＡＴＭ等の電子機器には、タッチパネル上に表示される文字列をランダムに並べ替える機能が搭載されている。
【０００７】
しかしながら、ユーザの手元をビデオカメラ等で撮影されてしまうと、撮影画像によってパスワードが第三者に推測されてしまう可能性がある。
【０００８】
開示の技術は、上記に鑑みてなされたものであって、セキュリティを向上させることができる、電子機器、認証プログラム、及び認証方法を提供することを目的とする。
【課題を解決するための手段】
【０００９】
開示の態様では、電子機器は、タッチパネルと、メモリと、前記タッチパネル及び前記メモリと接続されたプロセッサと、を具備する。前記プロセッサは、パスワードに含まれる複数の要素文字と前記パスワードに含まれない複数の非要素文字とを不規則な順番で含む、文字群を、前記タッチパネルに表示させる。また、前記プロセッサは、前記複数の要素文字のそれぞれのドラッグ入力が期待される複数の真領域と前記文字群のいずれかの文字の入力が期待される複数の偽領域とを不規則な順番で含む、領域列を、前記タッチパネルに表示させる。また、前記プロセッサは、前記領域列において各真領域の位置と所定関係にある所定位置の入力領域がタッチされたことを検知した場合、報知処理を実行する。また、前記プロセッサは、前記複数の真領域にドラッグ入力された複数の文字が前記パスワードと一致するか否か判定する。
【発明の効果】
【００１０】
開示の態様によれば、セキュリティを向上させることができる。
【図面の簡単な説明】
【００１１】
【図１】図１は、実施例１の電子機器のハードウェア構成例を示す図である。
【図２】図２は、実施例１のタッチパネルの表示例を示す図である。
【図３】図３は、入力文字テーブルの一例を示す図である。
【図４】図４は、実施例１の電子機器の処理動作の一例を示すフローチャートである。
【図５】図５は、図４のフローチャートの続きを示す図である。
【図６】図６は、実施例１の電子機器の処理動作例の説明に供する図である。
【図７】図７は、実施例３の電子機器の表示画面の一例を示す図である。
【発明を実施するための形態】
【００１２】
以下に、本願の開示する電子機器、認証プログラム、及び認証方法の実施形態を図面に基づいて詳細に説明する。なお、この実施形態により本願の開示の電子機器、認証プログラム、及び認証方法が限定されるものではない。また、実施形態において同一の機能を有する構成には同一の符号を付し、重複する説明は省略される。
【００１３】
［実施例１］
［電子機器の構成例］
図１は、実施例１の電子機器のハードウェア構成例を示す図である。図１において、電子機器１０は、タッチパネル１１と、音響装置１２と、プロセッサ１３と、メモリ１４とを有する。また、タッチパネル１１は、表示装置２１と、タッチセンサ２２と、振動装置２３とを有する。
【００１４】
タッチパネル１１において、表示装置２１の表示画面と、タッチセンサ２２及び振動装置２３とが重ねられている。これにより、表示装置２１の表示画面上に表示されたオブジェクトをユーザがタッチすると、タッチセンサ２２が、そのタッチされたオブジェクトの表示画面における座標に関する情報を取得し、取得した座標に関する情報をプロセッサ１３へ出力する。
【００１５】
また、タッチパネル１１において、表示装置２１は、プロセッサ１３からの「表示命令」に応じて、「表示命令」の示す画像情報を表示画面に表示させる。
【００１６】
また、タッチパネル１１において、振動装置２３は、プロセッサ１３からの「振動命令」に応じて、「振動命令」の示す座標に対応する表示画面内の位置を振動させる。
【００１７】
音響装置１２は、プロセッサ１３からの「発音命令」に応じて、「発音命令」に応じた音を発音する。音響装置１２は、例えば、イヤホンジャック（図示せず）にイヤホン（図示せず）が装着されている場合に、イヤホンを介して発音する。
【００１８】
プロセッサ１３は、電子機器１０の処理全般を制御する。例えば、プロセッサ１３は、表示処理、報知処理、処理制限処理、制限解除処理、及び、認証処理等を制御する。プロセッサ１３によって実現される各種処理機能は、各処理に対応するプログラムがメモリ１４に記録され、各プログラムがプロセッサ１３で実行されることにより実現される。プロセッサ１３の一例としては、ＣＰＵ、ＤＳＰ（Digital  Signal  Processor）、ＦＰＧＡ（Field  Programmable  Gate  Array）等が挙げられる。
【００１９】
例えば、プロセッサ１３は、パスワードに含まれる複数の「要素文字」とパスワードに含まれない複数の「非要素文字」とを不規則な順番で含む、「文字群」を、タッチパネル１１に表示させる。また、プロセッサ１３は、複数の「要素文字」のそれぞれのドラッグ入力が期待される複数の「真領域」と「文字群」のいずれかの文字の入力が期待される複数の「偽領域」とを不規則な順番で含む、「領域列」を、タッチパネル１１に表示させる。
【００２０】
図２は、実施例１のタッチパネルの表示例を示す図である。図２において、領域列３１は、入力領域３３−１〜８を有する。例えば、パスワードが４桁の数字である場合、入力領域３３−１〜８のうちで、４つが「真領域」として設定され、残りの４つが「偽領域」として、プロセッサ１３によってランダムに設定される。
【００２１】
また、図２において、文字群３５は、パスワードに含まれる複数の「要素文字」とパスワードに含まれない複数の「非要素文字」とを不規則な順番で含んでいる。例えば、パスワードが「１，２，３，４」の４桁である場合、「１」，「２」，「３」，「４」のそれぞれは、「要素文字」であり、「０」，「５」，「６」，「７」，「８」，「９」のそれぞれは、「非要素文字」である。
【００２２】
図１の説明に戻り、プロセッサ１３は、「領域列」において「各真領域の位置と所定ルールの関係にある所定位置の入力領域」がタッチされたことを検知した場合、「報知処理」を実行させる、制御を行う。
【００２３】
実施例１では、「各真領域の位置と所定ルールの関係にある所定位置の入力領域」とは、「領域列の基準方向」において真領域の１つ前に存在する「前領域」である。「領域列の基準方向」とは、ここでは、図２に示された「領域列」の左から右への方向である。従って、例えば、入力領域３３−３が真領域である場合、その前の領域である入力領域３３−２がタッチされたことを検知した場合、プロセッサ１３は、「報知処理」を実行させる、制御を行う。
【００２４】
また、「報知処理」とは、タッチされたことが検知された「前領域」を振動させる処理であってもよい。又は、「報知処理」とは、イヤホンジャックにイヤホンが装着されている場合に、音響装置１２に対して、イヤホンを介して発音させる処理であってもよい。
【００２５】
また、プロセッサ１３は、ドラッグされた文字が入った入力領域内で、ドラッグが解除されたか否かを判定し、ドラッグが解除されたと判定した場合、ドラッグされた文字とドラッグが解除された入力領域の識別情報とを対応づけて、「入力文字テーブル」に保持する。「入力文字テーブル」は、例えば、メモリ１４に記憶される。
【００２６】
図３は、入力文字テーブルの一例を示す図である。図３に示すように入力文字テーブルには、上記の例では、入力領域３３−１〜８のそれぞれに対応する識別情報と、各入力領域３３に対応付けられる入力文字に関する情報を保持するメモリ領域が設けられている。
【００２７】
図１の説明に戻り、プロセッサ１３は、複数の真領域にドラッグ入力された複数の文字が予めユーザに対応づけて保持しているパスワードと一致するか否か判定する。すなわち、プロセッサ１３は認証処理を行う。この認証処理は、領域列のすべての入力領域と、ドラッグ入力された文字とが対応付けられることを条件（トリガー）として、開始されてもよい。そして、複数の真領域にドラッグ入力された複数の文字が予めユーザに対応づけて保持しているパスワードと一致する場合、プロセッサ１３は、処理制限を解除する制御を行う。
【００２８】
メモリ１４は、上記の入力文字テーブルやプログラム等を記憶する。メモリ１４の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００２９】
［電子機器の動作例］
以上の構成を有する電子機器１０の処理動作の一例について説明する。図４及び図５は、実施例１の電子機器の処理動作の一例を示すフローチャートである。また、図６は、実施例１の電子機器の処理動作例の説明に供する図である。図４及び図５に示すフローチャートは、第１の例として、電子機器がスマートフォン等の携帯端末である場合、ネットバンキングのアプリケーションに対応するアイコンが格納されたフォルダを開く操作がユーザにより為された時にスタートする。また、図４及び図５に示すフローチャートは、第２の例としては、電子機器がスマートフォン等の携帯端末である場合、ネットバンキングのアプリケーションを起動させる操作がユーザにより為された時にスタートする。
【００３０】
プロセッサ１３は、Ｎ（Ｎは２以上の自然数）個の「要素文字」及びＭ（Ｍは自然数）個の「非要素文字」をランダムな順番で含む、「文字群」をタッチパネル１１に表示させる（ステップＳ１０１）。上記の例では、Ｎ＝４であり、Ｍ＝４である。
【００３１】
プロセッサ１３は、（Ｎ＋１）個以上の入力領域を含む、領域列をタッチパネル１１に表示させる（ステップＳ１０２）。上記の例では、入力領域の数は、８個である。
【００３２】
プロセッサ１３は、（Ｎ＋１）個以上の入力領域から、Ｎ個の真領域をランダムに選択する（ステップＳ１０３）。例えば、図６に示すように、入力領域３３−１〜８のうちで、入力領域３３−３，５，６，８の４つが真領域として選択される。図６では、便宜上、真領域を実線枠で示し、偽領域を点線枠で示している。
【００３３】
プロセッサ１３は、文字群の中からドラッグされた文字がいずれかの入力領域に入ったか否かを判定する（ステップＳ１０４）。この判定処理は、文字群の中からドラッグされた文字がいずれかの入力領域に入ったと判定されるまで繰り返される（ステップＳ１０４否定）。
【００３４】
プロセッサ１３は、文字群の中からドラッグされた文字がいずれかの入力領域に入ったと判定されると（ステップＳ１０４肯定）、ドラッグされた文字が入った入力領域は真領域と所定ルールの関係にある入力領域か否かを判定する（ステップＳ１０５）。上記の通り、実施例１では、「各真領域の位置と所定ルールの関係にある所定位置の入力領域」とは、「領域列の基準方向」において真領域の１つ前に存在する「前領域」である。
【００３５】
プロセッサ１３は、ドラッグされた文字が入った入力領域は真領域と所定ルールの関係にある入力領域であると判定すると（ステップＳ１０５肯定）、「報知処理」の制御を実行する（ステップＳ１０６）。例えば、図６に示す例では、入力領域３３−２，４，５，７のいずれかにドラッグされた文字が入ったときに、報知処理の制御が実行される。これにより、その後ろの入力領域が真領域であることを、第三者に知られることなく、ユーザに知らせることができる。一方、ドラッグされた文字が入った入力領域は真領域と所定ルールの関係にある入力領域でない場合（ステップＳ１０５否定）、処理ステップは、ステップＳ１０７へ進む。
【００３６】
プロセッサ１３は、ドラッグされた文字が入った入力領域内でドラッグが解除されたか否かを判定する（ステップＳ１０７）。ドラッグされた文字が入った入力領域内でドラッグが解除されていないと判定された場合（ステップＳ１０７否定）、処理ステップは、ステップＳ１０４へ戻る。
【００３７】
プロセッサ１３は、ドラッグされた文字が入った入力領域内でドラッグが解除されたと判定した場合（ステップＳ１０７）、ドラッグされた文字とドラッグが解除された入力領域の識別番号とを対応付けて、「入力文字テーブル」に記憶する（ステップＳ１０８）。
【００３８】
プロセッサ１３は、ドラッグが解除された入力領域に「入力済み表示」を表示させる（ステップＳ１０９）。
【００３９】
プロセッサ１３は、全ての入力領域に文字が対応づけられたか否かを判定する（ステップＳ１１０）。全ての入力領域に文字が対応づけられていない場合（ステップＳ１１０否定）、処理ステップは、ステップＳ１０４へ戻る。
【００４０】
プロセッサ１３は、全ての入力領域に文字が対応づけられた場合（ステップＳ１１０肯定）、入力文字テーブルにおいてＮ個の真領域に対応付けられた複数の文字とパスワードとは一致するか否かを判定する（ステップＳ１１１）。
【００４１】
プロセッサ１３は、入力文字テーブルにおいてＮ個の真領域に対応付けられた複数の文字とパスワートとが一致する場合（ステップＳ１１１肯定）、処理制限を解除する（ステップＳ１１２）。すなわち、上記の第１の例の場合、「処理制限の解除」は、ユーザが開ける操作をしたフォルダを開くことを許容することを意味する。また、「処理制限の解除」は、上記の第２の例の場合、ユーザが起動する操作をしたアプリケーションの起動を許容することを意味する。
【００４２】
なお、入力文字テーブルにおいてＮ個の真領域に対応付けられた複数の文字とパスワートとが一致しない場合（ステップＳ１１１否定）、処理フローは終了する。
【００４３】
以上のように本実施例によれば、電子機器１０においてプロセッサ１３は、領域列において各真領域の位置と所定ルールの関係にある所定位置の入力領域がタッチされたことを検知した場合、報知処理を実行する。この報知処理は、第三者に感知されない態様で行われる処理である。例えば、報知処理は、所定位置の入力領域を振動させる処理であってもよいし、発音部（つまり、音響装置１２）に発音させる処理であってもよい。
【００４４】
この電子機器１０の構成により、真領域の位置を第三者に感知されることを回避でき、結果として、パスワードを第３者に知られることを回避できる。これにより、パスワード入力による個人認証のセキュリティを向上させることができる。
【００４５】
また、所定位置の入力領域は、領域列の基準方向において真領域の１つ前に存在する前領域である。
【００４６】
この電子機器１０の構成により、ユーザに対して簡単に真領域を通知することができる。
【００４７】
なお、以上の説明では、領域列において各真領域の位置と所定ルールの関係にない所定位置の入力領域がタッチされたことを検知した場合には、振動されない（又は発音されない）ことを前提として説明を行った。しかしながら、実施例はこれに限定されるものではなく、プロセッサ１３は、領域列において各真領域の位置と所定ルールの関係にある所定位置の入力領域がタッチされたことを検知した場合と、領域列において各真領域の位置と所定ルールの関係にない所定位置の入力領域がタッチされたことを検知した場合とで、振動パターン（又は、発音パターン）を異ならせてもよい。すなわち、プロセッサ１３は、領域列において各真領域の位置と所定ルールの関係にある所定位置の入力領域がタッチされたことを検知した場合、第１の振動パターンで振動させ（又は、第１の発音パターンで発音させ）、領域列において各真領域の位置と所定ルールの関係にない所定位置の入力領域がタッチされたことを検知した場合、第２の振動パターンで振動させる（又は、第２の発音パターンで発音させる）。
【００４８】
また、以上の説明では、複数の入力領域に文字を入力する順番は特に限定していないが、プロセッサ１３は、例えば、領域列の基準方向に順番にユーザに入力させるように、強調表示等を利用して誘導するようにしてもよい。
【００４９】
また、以上の説明では、真領域の全てに文字が入力された場合に予め記憶しているパスワードと一致するか否かを判定することを前提に説明したが、これに限定されるものではなく、１つの真領域に文字が入力される度にその文字とその真領域に対応するパスワードの構成文字とが一致するか否かを判定してもよい。
【００５０】
また、以上の説明では、「文字群」が一度表示されると「文字群」を構成する複数の文字の順番が固定であることを前提として説明したが、これに限定されるものではなく、プロセッサ１３は、所定数の入力領域に文字が入力される度に、つまり、所定数の入力領域に対して「入力文字テーブル」において入力文字が対応付けられる度に、「文字群」を構成する複数の文字の順番をランダムに並べ替えてもよい。
【００５１】
［実施例２］
実施例２は、実施例１の「各真領域の位置と所定ルールの関係にある所定位置の入力領域」のバリエーションに関する。実施例２の電子機器の基本構成は、実施例１の電子機器１０と同じなので、図１を用いて説明する。
【００５２】
実施例２の電子機器１０のプロセッサ１３は、実施例１と同様に、「領域列」において「各真領域の位置と所定ルールの関係にある所定位置の入力領域」がタッチされたことを検知した場合、「報知処理」を実行させる、制御を行う。
【００５３】
例えば、実施例２のプロセッサ１３は、領域列の基準方向において真領域の１つ前に存在する前領域がタッチされたことを検知した場合、その前領域を振動させない一方、「前領域以外の入力領域」がタッチされたことを検知した場合、その「前領域以外の入力領域」を振動させる。又は、実施例２のプロセッサ１３は、領域列の基準方向において真領域の１つ前に存在する前領域がタッチされたことを検知した場合、音響装置１２（発音部）に発音させない一方、「前領域以外の入力領域」がタッチされたことを検知した場合、音響装置１２（発音部）に発音させてもよい。
【００５４】
以上のような電子機器１０の構成とした場合でも、実施例１と同様の効果を得ることができる。
【００５５】
なお、以上の説明では、領域列の基準方向において真領域の１つ前に存在する前領域がタッチされたことを検知した場合、その前領域を振動させない（又は発音部を発音させない）ことを前提として説明を行った。しかしながら、実施例はこれに限定されるものではなく、プロセッサ１３は、領域列の基準方向において真領域の１つ前に存在する前領域がタッチされたことを検知した場合と、「前領域以外の入力領域」がタッチされたことを検知した場合とで、振動パターン（又は、発音パターン）を異ならせてもよい。
【００５６】
［実施例３］
実施例３は、表示画像のバリエーションに関する。実施例３の電子機器の基本構成は、実施例１の電子機器１０と同じなので、図１を用いて説明する。
【００５７】
実施例３の電子機器１０のプロセッサ１３は、図７に示すように、実施例１と同様に、領域列３１を、タッチパネル１１に表示させる。さらに、実施例３の電子機器１０のプロセッサ１３は、図７に示すように、真領域のみからなる領域列３２（つまり、入力領域３４−１，２，３，４）を、タッチパネル１１に表示させる。図７は、実施例３の電子機器の表示画面の一例を示す図である。
【００５８】
この電子機器１０の構成により、例えば、ユーザが急いでいる場合等には領域列３２を利用することにより、ユーザのパスワード入力を簡便にすることができる。すなわち、ユーザの利便性を向上させることができる。
【符号の説明】
【００５９】
１０  電子機器
１１  タッチパネル
１２  音響装置
１３  プロセッサ
１４  メモリ
２１  表示装置
２２  タッチセンサ
２３  振動装置
３１，３２  領域列
３３  入力領域
３５  文字群
【図１】
2016181035.tif 000003
【図２】
2016181035.tif 000004
【図３】
2016181035.tif 000005
【図４】
2016181035.tif 000006
【図５】
2016181035.tif 000007
【図６】
2016181035.tif 000008
【図７】
2016181035.tif 000009